(57)【要約】【課題】正面切刃の切り込み角度を一定に保持したままでインサートの位置調整が容易、かつ、確実に行うことができ、高い切刃振れ精度を得ることができるフライスカッターを提供する。【解決手段】軸線回りに回転される円盤状の工具本体１１の先端部外周に形成された凹部１３に取付座１４が備えられ、取付座１４に、切刃を有するインサート３０が着脱自在に装着されるフライスカッター１０であって、工具本体１１には、インサート３０を移動させて前記軸線方向の位置を調整するための調整部材１９が備えられるとともに、取付座１４には、インサート３０のクランプ面４０を押圧する押圧面が形成されたクランプ部材２０と、クランプ部材２０を工具本体１１側に押圧してインサート３０を固定する固定ネジ２６と、固定ネジ２６を緩めた際にクランプ部材２０を前記押圧面がクランプ面４０を押圧する方向へと付勢する付勢部材２５とが備えられていることを特徴とする。【選択図】図３
2007253305.tif 000002
【特許請求の範囲】
【請求項１】
軸線回りに回転される円盤状の工具本体の先端部外周に形成された凹部に取付座が備えられ、該取付座に、切刃を有するインサートが着脱自在に装着されるフライスカッターであって、
前記工具本体には、前記インサートを移動させて前記軸線方向の位置を調整するための調整部材が備えられるとともに、
前記取付座には、前記インサートのクランプ面を押圧する押圧面が形成されたクランプ部材と、該クランプ部材を前記工具本体側に押圧して前記インサートを固定する固定ネジと、前記固定ネジを緩めた際に前記クランプ部材を前記押圧面が前記クランプ面を押圧する方向へと付勢する付勢部材とが備えられていることを特徴とするフライスカッター。
【請求項２】
前記押圧面は、前記インサートの移動方向に沿って延びるように形成されていることを特徴とする請求項１に記載のフライスカッター。
【請求項３】
前記押圧面は、前記固定ネジに近接するにしたがい漸次前記固定ネジのねじ込み方向に向かうように傾斜した傾斜面とされていることを特徴する請求項１または請求項２に記載のフライスカッター。
【請求項４】
前記調整部材は、前記インサートの前記工具本体後端側を向く面を押圧する調整ネジとされ、前記調整ネジは、前記インサートの移動方向に対して傾斜する方向に配置されていることを特徴とする請求項１から請求項３のいずれかに記載のフライスカッター。
【請求項５】
請求項１から請求項４のいずれかに記載のフライスカッターに装着されるインサートであって、
外形が長尺棒状をなし、その先端に立方晶窒化硼素焼結体で構成された前記切刃を備えた切刃部が形成され、該切刃部の後端側に前記クランプ面が形成されていることを特徴とするインサート。
【請求項６】
前記切刃部には、正面切刃と外周切刃とが形成され、これら正面切刃と外周切刃との交差部分にコーナ部が設けられていることを特徴とする請求項５に記載のインサート。
【発明の詳細な説明】
【技術分野】
【０００１】
本発明は、工具本体の先端部外周に複数のインサートが着脱可能に装着されたフライスカッター及びこのフライスカッターに装着されるインサートに関するものである。
【背景技術】
【０００２】
従来、被切削材に平面加工を施す切削工具として、複数のインサートが装着されたフライスカッターが使用されている。この種のフライスカッターにおいては、円盤状の工具本体の先端部外周に形成された多数の凹部及び取付座に、超硬合金等の硬質材料よりなるインサートが着脱可能に装着されており、工具本体をその軸線回りに高速回転するとともに軸線と交差する方向に送りを与えることにより、インサートの工具本体径方向外側に向けられた外周切刃と工具本体先端側に向けられた正面切刃とによって被切削材を切削するものである。
【０００３】
ところで、多数のインサートを備えたフライスカッターでは、各インサートの切刃が工具本体の軸線回りに描く回転軌跡が一致するように、各インサートが取り付けられていなければならない。すなわち、このフライスカッターには、切刃の振れ出し量が同一となるように、高い切刃振れ精度が備わっていなければならない。前記フライスカッターにおいて切刃の振れ出し量が異なっている場合には、振れ出し量の大きい切刃が優先的に磨耗してしまうため、インサートの交換頻度が多くなるとともに、被切削材の仕上げ面が波打ち、面粗度が劣化するといった問題があった。
【０００４】
そこで、従来のフライスカッターにおいては、仕上げ面の面粗度を向上させるために、フライスカッターに装着された多数のインサートのうちの一部をワイパー刃（さらい刃）とする手段が提供されているが、ワイパー刃を備えたフライスカッターでは、ワイパー刃のみが切削する部分が多くなり、このワイパー刃が優先的に磨耗するため、インサートの交換頻度が多くなるといった問題があった。
そこで、このようなフライスカッターにおいては、インサートの工具本体軸線方向の位置を移動させ、各切刃の振れ出し量を調整するための調整機構を備えたものが提案されている（例えば、特許文献１）。
【０００５】
特許文献１に開示されたフライスカッターは、工具本体の先端部外周に複数の凹部が形成され、凹部の工具回転方向後方側にインサートの取付座が形成されており、この取付座の工具回転方向前方側を向く壁面に、四角形平板状をなすインサートが着座される。取付座の工具回転方向前方側にはクサビ部材が挿入されており、このクサビ部材の工具回転方向後方側を向く面と取付座の工具回転方向前方側を向く壁面とによってインサートが挟持されて固定されている。
この取付座の工具本体後端側に、インサートの位置を調整するための調整クサビが備えられている。また、工具本体の底面からこの調整クサビの位置を固定するための固定ネジが螺着されている。
【０００６】
この構成のフライスカッターにおいては、固定クサビを抜き出してインサートを移動可能な状態とし、調整クサビを挿入することによりインサートの工具本体後端側を向く面を押圧して、インサートの位置を移動させて切刃の振れ出し量を調整するものである。
【特許文献１】実用新案登録第１８５４５３８号公報
【発明の開示】
【発明が解決しようとする課題】
【０００７】
ところで、前記構成のフライスカッターにおいては、切刃の振れ調整を行うために固定クサビを抜き出した際に、インサートの位置が大きくずれてしまうおそれがあった。
また、固定クサビを抜き出した状態ではインサートは全く固定されていないため、調整クサビによってインサートの工具本体後端側を向く面を押圧した際に、インサートが調整方向以外の方向へずれてしまうおそれがあり、複数の切刃の振れ調整を精度良く、かつ、効率的に行うことができなかった。
また、インサートが取付座の工具回転方向前方側を向く壁面の上で回転してしまった場合には、正面切刃の切り込み角度が、各インサートによってばらついてしまうので、インサートを取り付け直す必要があった。
このように、従来のフライスカッターにおいては、切刃の振れ出し量を調整するのに多大な時間と労力を必要としていた。
【０００８】
本願発明は、上記の事情に鑑みてなされたものであって、正面切刃の切り込み角度を一定に保持したままでインサートの位置調整を容易、かつ、確実に行うことができ、高い切刃振れ精度を得ることができるフライスカッター及びこのフライスカッターに装着されるインサートを提供することを目的とする。
【課題を解決するための手段】
【０００９】
この課題を解決するために、本発明に係るフライスカッターは、軸線回りに回転される円盤状の工具本体の先端部外周に形成された凹部に取付座が備えられ、該取付座に、切刃を有するインサートが着脱自在に装着されるフライスカッターであって、前記工具本体には、前記インサートを移動させて前記軸線方向の位置を調整するための調整部材が備えられるとともに、前記取付座には、前記インサートのクランプ面を押圧する押圧面が形成されたクランプ部材と、該クランプ部材を前記工具本体側に押圧して前記インサートを固定する固定ネジと、前記固定ネジを緩めた際に前記クランプ部材を前記押圧面が前記クランプ面を押圧する方向へと付勢する付勢部材とが備えられていることを特徴としている。
【００１０】
この構成のフライスカッターにおいては、取付座にクランプ部材とこのクランプ部材を工具本体側に押圧する固定ネジとが備えられているので、固定ネジをねじ込むことでクランプ部材によってインサートのクランプ面を押圧して固定することができる。また、クランプ部材にインサートを押圧する押圧面が形成されるとともに、前記固定ネジを緩めた際に前記押圧面が前記クランプ面を押圧する方向へと付勢する付勢部材が備えられているので、切刃の振れ調整を行うために固定ネジを緩めた際に、付勢部材によってインサートが押圧されることになり、インサートの位置ずれを防止できる。このように付勢部材によってインサートが押圧された状態で、工具本体に設けられた調整部材によってインサートを移動させて位置調整を行うことができ、切刃の振れ調整を簡単にかつ確実に行うことができる。
【００１１】
ここで、前記押圧面を、前記インサートの移動方向に沿って延びるように形成することにより、調整部材によってインサートの位置調整を行う際に、インサートがこの押圧面に沿って移動することになり、インサートが回転したり位置ずれしたりすることを確実に防止でき、正面切刃のディッシュ角を確実に保持したまま切刃の振れ調整を行うことができる。
【００１２】
また、前記押圧面を、前記固定ネジに近接するにしたがい漸次前記固定ネジのねじ込み方向に向かうように傾斜した傾斜面とすることにより、付勢部材によって押圧面を確実にインサートへ押圧させることができ、固定ネジを緩めた際にインサートをより強固に保持することができる。
【００１３】
さらに、前記調整部材を、前記インサートの前記工具本体後端側を向く面を押圧する調整ネジとし、前記調整ネジを、前記インサートの移動方向に対して傾斜する方向に配置することにより、インサートの位置調整を調整ネジのネジピッチよりも小さなピッチで調整することができ、切刃の振れ調整を精度良く行うことができる。例えば、インサートの移動方向に対して調整ネジが角度θで配置している場合には、ネジピッチＰとするとインサート移動方向のピッチはＰ×ｃｏｓθとなり、ネジピッチＰよりも小さなピッチでインサートの位置調整を行うことができる。
【００１４】
また、前記インサートとして、長尺棒状をなし、その先端に立方晶窒化硼素焼結体で構成された前記切刃を備えた切刃部が形成され、該切刃部の後端側に前記クランプ面が形成されているものを使用することにより、前記クランプ面とクランプ部材の押圧面とが摺接した状態でインサートの位置調整を行うことになり、切刃の振れ調整を簡単に行うことができる。また、切刃が、硬質で耐磨耗性に優れた立方晶窒化硼素焼結体（ＣＢＮ：Ｃｕｂｉｃ  Ｂｏｒｏｎ  Ｎｉｔｒｉｄｅ）で構成されているので、この切刃の耐磨耗性が向上し、インサートの寿命延長を図ることができる。
【００１５】
また、前記切刃部に正面切刃と外周切刃とを形成し、これら正面切刃と外周切刃との交差部分にコーナ部を設けることにより、このインサートの刃先強度を向上させることができ、切削時の切削抵抗によって切刃が欠損することを防止できる。さらに、コーナ部を形成することにより、正面切刃及び外周切刃の再研磨が容易となり、このインサートのさらなる寿命延長を図ることができる。
【発明の効果】
【００１６】
本発明によれば、正面切刃の切り込み角度を一定に保持したままでインサートの位置調整が容易、かつ、確実に行うことができ、高い切刃振れ精度を得ることができるフライスカッター及びこのフライスカッターに装着されるインサートを提供することができる。
【発明を実施するための最良の形態】
【００１７】
本発明の実施の形態について添付した図面を参照して説明する。
図１から図５に本発明の実施形態であるフライスカッターを示す。図６から図８に前記フライスカッターに装着されるインサートを示す。
フライスカッター１０は、鋼材等で構成されて外形が概略円盤状をなす工具本体１１を有しており、工具本体１１がなす円盤の中央部には、工具本体１１をアダプタを介して工作機械の主軸端等に取り付けるための取付孔１２が、工具本体１１の軸線Ｏに沿うように形成されている。
【００１８】
この工具本体１１の先端側外周部には、工具本体１１の外周面及び先端面に開口するように複数の凹部１３が形成されており、さらにこれらの凹部１３の工具回転方向Ｔ後方側には、それぞれ取付座１４が設けられている。本実施形態では、図２に示すように、８つの凹部１３及び取付座１４が、周方向に間隔をあけるようにして設けられている。
【００１９】
取付座１４の工具回転方向Ｔ前方側を向く壁面が第１取付面１４Ａとされており、この第１取付面１４Ａは、図３に示すように、工具本体１１後端側に向かうにしたがい工具回転方向Ｔ後方側に後退するように傾斜させられている。また、取付座１４の工具本体１１径方向外側を向く壁面が第２取付面１４Ｂとされ、この第２取付面１４Ｂは、図４に示すように、工具本体１１径方向内側に向けて一段凹むように形成されている。
【００２０】
また、取付座１４の工具回転方向Ｔ前方側には、インサート３０をクランプして固定するためのクランプ部材２０を収容するための切欠部１５が形成され、この切欠部１５の工具本体１１径方向外側を向く壁面には固定ネジ孔１６が穿設されている。この固定ネジ孔１６の工具回転方向Ｔ前方側には、この固定ネジ孔１６と平行に延びるように収容孔１７が形成されている。つまり、工具回転方向Ｔ前方側から順に、収容孔１７、固定ネジ孔１６、取付座１４が並ぶように配置されているのである。
【００２１】
また、各取付座１４の工具本体１１後端側には、工具本体１１後端側から取付座１４へと貫通するように調整ネジ孔１８が穿設されており、この調整ネジ孔１８に調整ネジ１９が螺着されている。調整ネジ孔１８は、前記第１取付面１４Ａ及び第２取付面１４Ｂに対して傾斜するように配置されており、本実施形態では、図３に示すように、工具本体１１先端側に向かうにしたがい工具回転方向Ｔ後方側へと向かうように配置されている。本実施形態では、この調整ネジ孔１８の延びる方向と第１取付面１４Ａが延びる方向とが角度θで交差するように構成されている。
また、調整ネジ１９の先端は、先端側に向かうにしたがい外径が小さくなるようなテーパ面１９Ａが形成されている。
【００２２】
次に、前記切欠部１５に収容されるクランプ部材２０について説明する。クランプ部材２０は、図３及び図４に示すように、一端側が方形状とされるとともに他端側が半円状とされた概略平板状をなしており、その中央部分には、厚さ方向に貫通したネジ挿通孔２１が形成されている。ネジ挿通孔２１は、固定ネジ２６の外径（後述する連結部２９の外径）よりも僅かに大きな内径とされており、このクランプ部材２０を前記切欠部１５に収容した状態において、工具本体１１径方向外側に配置される部分には、工具本体１１径方向外側に向けて開口した座ぐり部２２が形成されている。
【００２３】
クランプ部材２０の一端側には、後述するインサート３０を押圧する押圧面２３が形成されている。クランプ部材２０を切欠部１５に収容した状態において、前記押圧面２３は、工具回転方向Ｔ前方側に向かうにしたがい漸次工具本体１１径方向内側に向かうような傾斜面とされている。つまり、固定ネジ２６に近づくにしたがい固定ネジ２６のねじ込み方向に向かうような傾斜面とされているのである。また、この押圧面２３は、第１取付面１４Ａと第２取付面１４Ｂとの交線が延びる方向に対して平行に配置されている。
【００２４】
クランプ部材２０の他端側は一段肉厚とされており、この他端側には、クランプ部材２０を切欠部１５に収容した状態において、前記収容孔１７に対向して同軸に開口する受け孔２４が形成され、これら収容孔１７と受け孔２４とにクランプ部材２０の他端側を工具本体１１径方向外側へと付勢する付勢部材としてコイルバネ２５が圧縮された状態で収容されて配置されている。つまり、ネジ挿通孔２１を挟んで一端側に押圧面２３が、他端側にコイルバネ２５が配置されているのである。
また、ネジ挿通孔２１に挿通される固定ネジ２６は、先端側に雄ネジ部２７が形成され、後端に雄ネジ部２７よりも大径とされた頭部２８が形成されており、これら頭部２８と雄ネジ部２７との間には、外周面にねじ山が形成されていない連結部２９が設けられている。
【００２５】
次に、取付座１４に装着されるインサート３０について説明する。インサート３０は、例えば超硬合金等の硬質材料からなり、外形が概略四角柱状（長尺棒状）をなすインサート本体３１を有している。このインサート本体３１の先端側（図６及び図７において下側）には、ＣＢＮで構成された切刃チップ３２を備えた切刃部３３が形成されている。本実施形態では、切刃チップ３２は平板状をなしており、このインサート３０のすくい面３４に積層されるようにしてインサート本体３１に貼設されている。
【００２６】
この切刃部３３の先端側辺稜部に正面切刃３５が形成され、切刃部３３の一側面側辺稜部に外周切刃３６が形成されており、これら正面切刃３５及び外周切刃３６の交差部分にはコーナ部３７が形成されている。なお、本実施形態では、このコーナ部３７と正面切刃３５とがなす角度、いわゆるコーナ角βは４５°とされている。また、正面切刃３５に連なる切刃部３３の先端面は、正面切刃３５から離れるにしたがい漸次後方側に後退するように傾斜させられた正面逃げ面３８とされている。また、外周切刃３６に連なる切刃部３３の側面も、外周切刃３６から離れるにしたがい漸次インサート本体３１の内側に後退するように傾斜させられた外周逃げ面３９とされている。
【００２７】
そして、切刃部３３の後端側部分には、前記クランプ部材２０の押圧面２３に押圧されるクランプ面４０が形成されている。このクランプ面４０は、インサート本体３１がなす四角柱の一つの角部を切り落とすようにして形成されており、切刃部３３の後端側からインサート本体３１の後端面にまで達するように形成されている。なお、本実施形態では、切刃部３３において、外周切刃３６が形成されている部分に相当するインサート本体３１の角部が切り落とされてクランプ面４０が形成されており、クランプ面４０は、外周切刃３６と略平行に、かつ、インサート本体３１の延びる方向に対して平行となるように配置されている。
また、インサート３０の後端面には、前記調整ネジ１９の先端に形成されたテーパ面１９Ａが当接されるネジ受け部４１が形成されている。
【００２８】
このようなインサート３０が、以下のようにして、工具本体１１の取付座１４に装着されて、フライスカッター１０が構成されることになる。
インサート３０を、すくい面３４が工具回転方向Ｔ前方側を向くように、かつ、外周切刃３６が工具本体１１径方向外側を向くようにして、前記取付座１４に載置する。つまり、前記インサート３０のすくい面３４とは反対側の面を取付座１４の第１取付面１４Ａに当接するように、かつ、外周切刃３６に連なる側面とは反対側の面を取付座１４の第２取付面１４Ｂに当接するようにして、インサート３０を取付座１４に載置する。
【００２９】
そして、クランプ部材２０の他端側の受け孔２４内に配置されたコイルバネ２５を工具本体１１に穿設された収容孔１７に配置するとともにクランプ部材２０の一端側の押圧面２３をインサート３０のクランプ面４０と密着するようにして、クランプ部材２０を切欠部１５に配置する。この状態で、クランプ部材２０のネジ挿通孔２１に固定ネジ２６を挿通して、切欠部１５の工具本体１１径方向外側を向く壁面に穿設された固定ネジ孔１６にねじ込むことにより、固定ネジ２６の頭部２８が座ぐり部２２を押圧し、クランプ部材２０が工具本体１１側へと押圧され、クランプ部材２０の押圧面２３によってインサート３０を工具本体１１側に向けて押圧して固定することになる。このとき、コイルバネ２５は、クランプ部材２０によって強く圧縮されて弾性変形させられ、収容孔１７と受け孔２４とに収容されている。
【００３０】
このようにインサート３０を固定することによって、インサート３０の正面切刃３５及び外周切刃３６は、図５に示すように配置される。すなわち、外周切刃３６が軸線Ｏと略平行に配置されるとともに、正面切刃３５が軸線Ｏに直交する水平面に対して切り込み角αとなるように配置される。なお、本実施形態では、正面切刃３５の切り込み角（いわゆるディッシュ角）αは、α＝５°に設定されている。
【００３１】
このようにして構成されたフライスカッター１０は、工具本体１１の取付孔１２に取付ボルトが挿通されて、該取付ボルトの先端がアダプタにねじ込まれることによって、工具本体１１がアダプタに接続され、工具本体１１はアダプタを介して工作機械の主軸端に取り付けられ、軸線Ｏを中心として工具回転方向Ｔに高速回転されるとともに、軸線Ｏと交差する方向に送りを与えられることにより、インサート３０の工具本体１１径方向外側に向けられた外周切刃３６と工具本体１１先端側に向けられた正面切刃３５によって被切削材を切削する。
【００３２】
この構成のフライスカッター１０においては、切刃の振れ調整は、固定ネジ２６を緩めた状態で調整ネジ１９をねじ込むことにより行う。
固定ネジ２６を緩めると、圧縮されていたコイルバネ２５が弾性復帰しようとしてクランプ部材２０の他端側を工具本体１１径方向外側へと付勢する。すると、固定ネジ２６を支点としてクランプ部材２０が固定ネジ２６とネジ挿通孔２１との空隙分だけ傾いて、クランプ部材２０の一端側に形成された押圧面２３が工具本体１１側に向けて付勢される。よって、押圧面２３がインサート３０のクランプ面４０を押圧することになり、インサート３０の位置が保持される。この状態で調整ネジ１９をねじ込んでインサート３０のネジ受け部４１を押圧することにより、インサート３０は第１取付面１４Ａ及び第２取付面１４Ｂに沿って工具本体１１先端側に向けて移動することになる。
【００３３】
このように、本実施形態であるフライスカッター１０によれば、切刃の振れ調整を行うために固定ネジ２６を緩めた場合でも、コイルバネ２５による付勢によってインサート３０の位置が保持され、インサート３０の位置ずれが生じることを防止できる。この状態でインサート３０を調整ネジ１９で押圧することによって切刃の振れ調整を確実にかつ簡単に行うことができる。
【００３４】
また、固定ネジ２６をねじ込んだ場合には、コイルバネ２５が圧縮変形させられて収容孔１７に収容されるとともに、クランプ部材２０の押圧面２３によってインサート３０を工具本体１１側へと強固に押圧でき、インサート３０を確実に固定することができる。さらに、本実施形態では、押圧面２３によってインサート３０が第１取付面１４Ａ及び第２取付面１４Ｂにそれぞれ密着するように押圧されるので、インサート３０をより強固に固定することができる。
【００３５】
また、クランプ部材２０の押圧面２３が、取付座１４の第１取付面１４Ａと第２取付面１４Ｂとの交線が延びる方向、つまり、インサート３０の移動方向に対して平行に配置されているので、コイルバネ２５によってインサート３０が固定されている状態でもインサート３０を移動させることができ、インサート３０の位置調整を確実に行うことができる。また、この押圧面２３に沿ってインサート３０が移動することにより、インサート３０が第１取付面１４Ａ上で回転することがなく、正面切刃３５の切り込み角（ディッシュ角）αを一定に保持した状態でインサート３０の位置調整を行うことができ、切刃の振れ調整を簡単に行うことができる。
【００３６】
また、押圧面２３が、工具回転方向Ｔ前方側に向かうにしたがい漸次工具本体１１径方向内側に向かうような傾斜面とされているので、コイルバネ２５がクランプ部材２０の他端側を工具本体１１径方向外側に向けて付勢した際に、押圧面２３が工具本体１１側に向けて付勢されてインサート３０を確実に押圧することができ、固定ネジ２６を緩めた際のインサート３０の位置ずれをさらに確実に防止できる。
【００３７】
また、調整ネジ孔１８の延びる方向が、第１取付面１４Ａが延びる方向、つまりインサート３０の移動方向と角度θで交差するように配置され、この調整ネジ孔１８に調整ネジ１９が螺着されているので、調整ネジ１９のネジピッチをＰとした場合にはインサート３０移動方向のピッチはＰ×ｃｏｓθとなり、インサート３０の位置調整を調整ネジ１９のネジピッチよりも小さなピッチで調整することができる。したがって、切刃の振れ調整をさらに精度良く行うことができる。
【００３８】
また、インサート３０の切刃部３３にＣＢＮで構成された切刃チップ３２が貼設されて正面切刃３５及び外周切刃３６が形成されているので、これら正面切刃３５及び外周切刃３６の耐磨耗性が向上し、インサート３０の寿命延長を図ることができる。また、平板状をなす切刃チップ３２がすくい面３４に積層するように配置されているので、すくい面３４もＣＢＮで構成され、すくい面３４の磨耗も防止することができる。
【００３９】
また、正面切刃３５と外周切刃３６との交差部分にコーナ部３７が形成され、このコーナ部３７と正面切刃３５とがなすコーナ角が４５°とされているので、このインサート３０の刃先強度が向上して切削時の切削抵抗による正面切刃３５及び外周切刃３６の欠損を防止できる。さらに、コーナ部３７が形成されているので、外周逃げ面３９に沿って研磨することにより外周切刃３６の再研磨ができ、正面逃げ面３８に沿って研磨することにより正面切刃３５の再研磨を行うことができる。したがって、これら外周切刃３６及び正面切刃３５の再研磨が容易となり、このインサート３０のさらなる寿命延長を図ることができる。
【００４０】
以上、本発明の実施形態であるフライスカッターについて説明したが、本発明はこれに限定されることはなく、その発明の技術的思想を逸脱しない範囲で適宜変更可能である。
例えば、本実施形態においては、頭部を有する固定ネジによってクランプ部材を固定するものとして説明したが、これに限定されることはなく、例えば、固定ネジをダブルスクリュー型として、クランプ部材のネジ挿通孔に雌ネジ部を形成したものであってもよい。この場合には、雄ネジ部と雌ネジ部の間の空隙分だけ付勢部材によってクランプ部材が付勢され、インサートの位置を保持することになる。
【００４１】
また、固定ネジ孔を工具本体径方向外側を向く壁面に穿設したものとして説明したが、例えば固定ネジ孔を工具回転方向Ｔ前方側を向く壁面に穿設してクランプ部材を押圧するものとしてもよい。
さらに、凹部及び取付座の数や配置には制限はなく、被切削材の材質、形状等を考慮して適宜設定することが好ましい。
また、コーナ角、ディッシュ角は本実施形態に限定されることはなく、適宜設定することができる。
【図面の簡単な説明】
【００４２】
【図１】本発明の実施形態であるフライスカッターの側面断面図である。
【図２】図１に示すフライスカッターの底面図である。
【図３】図１に示すフライスカッターの取付座の側面拡大図である。
【図４】図３におけるＸ−Ｘ断面図である。
【図５】図３に示す取付座に装着したインサートを工具回転方向から見た図である。
【図６】本実施形態であるフライスカッターに装着されるインサートの正面図である。
【図７】図６におけるＹ方向矢視図である。
【図８】図６におけるＺ方向矢視図である。
【符号の説明】
【００４３】
１０  フライスカッター
１１  工具本体
１３  凹部
１４  取付座
１９  調整ネジ（調整部材）
２０  クランプ部材
２３  押圧面
２５  コイルバネ（付勢部材）
２６  固定ネジ
３０  インサート
３３  切刃部
３５  正面切刃
３６  外周切刃
３７  コーナ部
４０  クランプ面  
【図１】
2007253305.tif 000003
【図２】
2007253305.tif 000004
【図３】
2007253305.tif 000005
【図４】
2007253305.tif 000006
【図５】
2007253305.tif 000007
【図６】
2007253305.tif 000008
【図７】
2007253305.tif 000009
【図８】
2007253305.tif 000010